(57)【要約】      （修正有）【課題】簡単な構造で、保温効率が高く、かつ、僅かな燃料で、遠赤外線効果を利用したおいしい焼き芋を作る焼き芋器を提供する。【解決手段】焼き芋器１は、断熱材を鋼板で挟んだ内側の壁と、其れを覆うように形成された外側の壁で構成し、保温性を高めると共に、燃焼源に木炭、豆炭を用いることで炭から出る遠赤外線を応用しつつ、低温焼成を長時間継続可能にしている。さらに、網板上部に配した大磯五分の玉砂利３２で熱を拡散させている。又、前記大磯五分の玉砂利から発する遠赤外線の効果も期待できる。さらに、調理後の熱と蒸気を、上部から直接排出せず、側面に迂回させ、側面内壁１０と側壁９の間を上方から下方に循環させた後、外部に排出する構成とし、天候や気温の急激な変化にも左右されないように保温効率をさらに上げている。又、大磯５分の玉砂利３２は、遠赤外線の効果を応用すると共に、保温材としての役割も待たせている。【選択図】図１
0003170738.tif 000002
【実用新案登録請求の範囲】
【請求項１】
缶体内部に配置させた加熱源によって、加熱室内の芋を加熱調理する事が可能な焼き芋器で、缶体内部を網板と、其の上側に配した大磯五分の玉砂利の階層によって上下に二分し、下方を燃焼室、上方を加熱室とした構成で、燃焼源から放出される直熱を防熱板で拡散させ、前記玉砂利の隙間を循環した後、調理物を加熱調理し、調理物の蒸気と共に側壁の空間を経て下方から外部へ放出する構成を特徴とする焼き芋器。
【請求項２】
燃焼室扉及び底壁を除く壁面の領域には、内壁と外壁の間に隙間を有した多層構成であることを特徴とした請求項１に記載の焼き芋器。
【請求項３】
前記網板の下方中央部に、燃焼源から放出される高熱を防ぐ為、鋼板製の板で防熱板連結部材を介して隙間を設け、防熱板を取り付けた構成であることを特徴とする請求項１に記載の焼き芋器。
【請求項４】
燃焼熱の拡散と調理物の保温を目的として、前記網板の上に、大磯五分の玉砂利を配した構成であることを特徴とする、請求項１に記載する焼き芋器。
【請求項５】
燃焼室扉、底壁、及び略全内壁には、板状の断熱材を鋼板で挟み込んだ、三層構造であることを特徴とする請求項１に記載する焼き芋器。
【請求項６】
缶体内部の下方に構成される燃焼室において、燃焼源に木炭及び豆炭を用いて、遠赤外線効果を応用し、焼成する形態であることを特徴とする請求項１に記載の焼き芋器。
【請求項７】
前記燃焼室において、燃焼源である炭の燃焼に、燃焼皿を用いる形態であることを特徴とする請求項１に記載の焼き芋き。
【請求項８】
前記燃焼室において、燃焼源である炭の出し入れと、燃焼済みの灰を受ける灰受けトレーを配し、スライドさせる構成であることを特徴とする請求項１に記載の焼き芋器。
【請求項９】
前記燃焼源から発する熱が、調理物の蒸気と共に、缶体の天井内壁と側面内壁との僅かな隙間を経て、さらに、側面内壁と側壁の空間を下方に迂回させた後、外部に放出する形態であることを特徴とする、請求項１に記載する焼き芋器。
【考案の詳細な説明】
【技術分野】
【０００１】
本考案は、缶体内部に配置させた加熱源によって、前記缶体内に形成される調理室内を加熱させ調理室内の調理物を焼き上げる。
【背景技術】
【０００２】
従来、加熱源を缶体外部に配置、又は、内部に配置するも、燃料に瓦斯や電気を使用しており複雑な構造となっていた（例えば、特許文献１，２参照）。又、小型軽量とするのには不向きであった。
【先行技術文献】
【特許文献】
【０００３】
【特許文献１】特開２００５−２７８７９８号公報
【特許文献２】実用新案登録３０４７９８４号公報
【考案の概要】
【考案が解決しようとする課題】
【０００４】
上記特許文献１に記載される焼き芋製造装置は、低温加熱と高温加熱の二室を有し、上段で低温加熱を施した後、下段の高温加熱室に調理物を移動させ焼き上げる構成となっており、焼成の途中で手を加えなければならなかった。又、上記特許文献２に記載された焼き芋器は、構成が軽便でなく、熱源にバーナーを使用して、焼成時間をタイマーで設定し、手動で停止させ、焼き上げる構成であり、前記特許文献１と共に熱源に制約があり、設置場所も制限された。又、前記特許文献の１及び２は、装置または機器の製造コスト、メンテナンス、及び消費燃料にも十分に改良の余地があった。
【０００５】
本考案は、上述の課題を解決するものであり、簡単な構成で、燃料に少量の木炭、豆炭を用いる事で燃料コストを下げ、炭燃料特有の燃焼時間を利用して、焼き上がり時間をタイマー等で設定することなく、大磯五分の玉砂利と合わせ遠赤外線効果も加わり、焼き芋に必要とされる活性酵素活動温度を長時間にわたり保持させ、甘い焼き芋を作る焼き芋器を提供する。
【課題を解決するための手段】
【０００６】
本考案に係る焼き芋器は、缶体内部に配置させた加熱源を用いて、缶体内に形成される加熱室を加熱することにより、加熱室内の調理物を焼き上げる焼き芋器であり、缶体内を上下に二分する位置に大磯五分の玉砂利を敷き詰めた網板を配置して、上下二段に区画し、下段を燃焼室、上段を加熱室とするとともに、缶体底部に配置する加熱源の燃焼皿の上方、網板中央部に防熱板を設ける事により、加熱源の真上の直火による高温を防止し、缶体側方に熱を拡散迂回させ温度を均一にさせている。又、缶体の内壁に断熱材を挟んだ板金製の構造体にすることで保温の役目も持たせている。さらに、内壁と外壁の間に空気層を設ける事により、外部の気温や天候に左右されずに缶体内の調理温度を長時間保持することを特徴とした焼き芋器である。
【０００７】
本考案の焼き芋器では、缶体下部の燃焼皿から発生する熱を防熱板で受け止め、側壁側に分散させ上段の加熱室に前記玉砂利の隙間を通して循環させ、加熱室の温度を均一に保つように構成されている。
【０００８】
さらに、本考案の焼き芋器は、缶体の側壁と天井内蓋が密着状態となるよう構成されているため、加熱源から発生する熱が加熱室を循環した後、上方から外部に抜け難い。すなわち、加熱室を加熱循環した熱は、調理物から発生する蒸気と共に、缶体左右の側面内壁と側壁との間を上方から下方に向かって抜ける構成になっているため、調理室の温度が低下し難く、加熱温度を保持しやすい。
【図面の簡単な説明】
【０００９】
【図１】本考案の一実施形態である焼き芋器の加熱室蓋及び燃焼室扉を開いた状            態の概略斜視図である。
【図２】図１の焼き芋器の加熱室蓋及び燃焼室扉を閉じた状態の斜視図である。
【図３】図２の焼き芋器の前後方向に沿った縦断面図である。
【図４】図２の焼き芋器の左右方向に沿った縦断面図である。
【図５】図２の焼き芋器に使用する網板及び防熱板の斜視図である。
【図６】図５の網板及び防熱板の正面図である。
【図７】図２の焼き芋器の燃焼室に収納される灰受けトレーと燃焼皿の分解斜視            図である。
【図８】図２の焼き芋器の背面図である。
【図９】図２の焼き芋器の、図８に示すＡ―Ａを断面とする平面図である。
【図１０】図２の焼き芋器の使用状態を示す概略断面図である。
【図１１】図１０における加熱室及び調理物内部の時間と温度の推移グラフ。
【図１２】図２の焼き芋器の左右方向に沿った縦断面図において、吸気と排気を             矢印で表した図である。
【考案を実施するための形態】
【００１０】
以下、本考案の焼き芋器１の一実施形態を図面に基づいて説明する。実施形態の焼き芋器１は、図１及び図２に示すように長方体状として構成され、長方体の缶体１５を有し、燃焼源の出し入れの為の燃焼室扉５と、調理物の出し入れの為の加熱室蓋３６を有する。
【００１１】
さらに、缶体１５は上下方向に網板２５を境に上下二分し、下側に燃焼室２、上側に加熱室１６を構成している。
【００１２】
又、缶体１５の内部を上下に二分する網板２５は、燃焼皿１３の真上に当たる部分に防熱板２４を配し、其の上に大磯五分の玉砂利３２を敷き詰めた構成としている（図３，４参照）。ちなみに、網板２５は１ｃｍ角の網状で、前記大磯五分の玉砂利３２が貫通しない網目である。
【００１３】
缶体１５は、前部左脚柱７及び前部右脚柱７Ｂ、後部左脚柱８及び後部右脚注８Ｂ、の四本の脚柱を四隅に配し、側面内壁１０、背面内壁１７、正面内壁２０を四角筒状に取り付け、下方を閉塞するように底壁２１と、前記筒状に囲まれる領域の上方を覆う天井内壁４とを有する構成となっている。
【００１４】
なを、側面内壁１０、背面内壁１７、正面内壁２０、底壁２１、天井内壁４、及び燃焼室扉５は、板状の断熱材３０を鋼板で挟んだ三層構造としている。
【００１５】
さらに又、製造コストを抑え、軽便な構成とするため断熱材３０は、実施形態の場合、建材に使用されるケイ酸カルシウム板を使用している。（図３、図４参照）
【００１６】
缶体１５において、燃焼室２の前方を覆う領域は、燃焼室２内部への出し入れを可能とするように開口して形成され、、此の開口を塞ぐように、開閉可能な燃焼室扉５を、正面内壁２０の下方に蝶番６により開閉可能に連結し、上開き可能にしている（図１，２参照）。
【００１７】
網板２５は、消耗品として交換可能とし、固定せず、網板指示金具２３に乗せる構成とし、メンテナンスが容易な構成としている。（図４参照）
【００１８】
さらに、網板２５は、下方中央部に防熱板連結金具２２を介し隙間を持たせて連結ボルト３８を用いて防熱板２４を防熱板固定金具２８に固定する構成となっている（図５，６参照）。なお、防熱板２４は、高温に耐え得るステンレス鋼にするのが好ましい。
【００１９】
焼き芋器１は、背面内壁１７、正面内壁２０、天井内壁４、を連結部材１４で介して隙間を形成し、鋼板製の背面壁１８、正面壁１９、天井壁３で前記各内壁を覆って多層を構成している。（図３参照）
【００２０】
燃焼皿１３は、燃焼用の器として用いる為、下部より空気を取り入れるように、底板は網状となっており、高温に達する場所でもあることから、材質を鋳物又はステンレス鋼とするのが好ましい。（図７参照）
【００２１】
又、灰受けトレー１２は、燃焼室２への燃料の出し入れを行うと共に、燃焼済みの灰を受ける役目も持たせている。さらに、灰受けトレー１２の上面側に、燃焼皿１３の下方から空気の取り込みが可能なように２本の皿受けレール１２Ｂが、燃焼皿１３の底部を閉塞させないように載置させている。（図７参照）
【００２２】
缶体１５の背面内壁１７には、下方の底壁２１付近に燃焼に必要な、空気の取り入れ口２７が設けてある。（図８，９参照）なを、背面内壁１７を覆う背面壁１８は、空気取り入れ口２７を閉塞しない構成としている。（図３、図８参照）
【００２３】
本考案の焼き芋器１は、燃焼源に木炭Ｃ及び豆炭Ｄを用いているが、燃焼時に必要な酸素は、空気取り入れ口２７より補い、燃焼によって発生した熱で燃焼室２を温めた後、大磯五分の玉砂利３２を加熱しながら、前記玉砂利の隙間を循環して加熱室１６に至る。さらに、調理物を加熱し、調理物から出る蒸気と共に、上面隙間Ｈ１から側面隙間Ｈ２を迂回させ下方から外部に排気させる形態とする事で、さらに加熱室１６の温度を一定に保ち、外部の気温や天候に左右され難い構成となっている。なを、図１２は、吸気を点線矢印、排気を実線矢印で、吸排気の流れを図示したものである。
【００２４】
そして、実施形態の焼き芋器１では、内壁の断熱材３０と外壁を挟む空間及び隙間Ｈ２の相乗効果により、高い保温効率が得られ、少ない加熱源で効果的に焼き芋を作る事が出来る。
【００２５】
さらに、実施形態の焼き芋器１は、小型軽量、簡便な構成であり、メンテナンスに優れ、持ち運びも容易であることから、キャンプや釣りなどアウトドアに好適に使用する事ができる。ちなみに、実施形態の焼き芋器１の外形寸法は、高さ２５ｃｍ、幅２６ｃｍ、奥行き３１ｃｍである。
【００２６】
図１０は、一実施形態であり、燃焼源である木炭Ｃ、豆炭Ｄの着火を一度確認すれば、前記木炭Ｃ及び前記豆炭Ｄが燃焼済みとなった時点で、焼き芋が完了可能となり、途中、時間的制約を受けない。したがって、タイマーなどを設定して、強制的に燃焼を止める必要がない。（図１０参照）
【００２７】
又、図１１は、燃焼皿１３に木炭Ｃを１５０ｇ、豆炭Ｄを３個使用して、気温１５℃において燃焼させた場合の一実施形態での加熱室１６及び芋の内部における温度推移を示したものであるが、３０分経過後には、加熱室１６は１８５℃に達し、芋の内部は、活性酵素の活動温度上限とされる９０℃近くに達する。その後、活性酵素の活動温度下限とされる６５℃まで３時間焼成を継続しつつ、芋の澱粉を糖質に変え、甘くて美味しい焼き芋を完成させる。なを、燃焼源の着火度合い、及び、天候や気温により温度推移は、図１１の限りではない。
【００２８】
缶体１５には、温度を測定するため、温度計差し込み用の穴が開けてあるも図には表示していない。  
【符号の説明】
【００２９】
１：焼き芋器
２：燃焼室
３：天井壁
４：天井内壁
５：燃焼室扉
６：蝶番
７：前部左脚柱
７Ｂ：前部右脚柱
８：後部左脚柱
８Ｂ：後部右脚柱
９：側壁
１０：側面内壁
１１：鎖
１２：灰受けトレー
１２Ｂ：皿受けレール
１３：燃焼皿
１４：連結部材
１５：缶体
１６：加熱室
１７：背面内壁
１８：背面壁
１９：正面壁
２０：正面内壁
２１：底壁
２２：防熱板連結部材
２３：網板支持金具
２４：防熱板
２５：網板
２６：L型連結部材
２７：空気取り入れ口
２８：防熱板固定金具
３０：断熱材
３１：取手
３２：大磯五分の玉砂利
３３：缶体接続凸部
３４：接続軸芯
３５：天井壁接続凹部
３６：天井蓋
３８：連結ボルト
Ｈ１：上面隙間
Ｈ２：側面隙間
Ｃ：木炭
Ｄ：豆炭
【図１】
0003170738.tif 000003
【図２】
0003170738.tif 000004
【図３】
0003170738.tif 000005
【図４】
0003170738.tif 000006
【図５】
0003170738.tif 000007
【図６】
0003170738.tif 000008
【図７】
0003170738.tif 000009
【図８】
0003170738.tif 000010
【図９】
0003170738.tif 000011
【図１０】
0003170738.tif 000012
【図１１】
0003170738.tif 000013
【図１２】
0003170738.tif 000014